(57)【要約】【課題】外観デザインをペンギンなどの縫いぐるみ形態とし、縫いぐるみによる保冷又は保温を施す室内を密閉構造として保冷・保温効果を向上させた「飲料又は食品用冷蔵・温蔵器を内装した縫いぐるみ」を提供すること。【解決手段】缶入り飲料、ボトル入り飲料などが収容される本体１に開口部１ａを設け、その本体１にはペルチェ素子１１を外面に取り付けた熱伝導体１０と、そのペルチェ素子１１の背面に取り付けた放熱フィン１２に送風を行うための電動ファン２０と、そのペルチェ素子に供給する電流の向きを変えて冷却・加熱作用を切り替える切替スイッチ２１とを設け、さらに、容器２と開閉蓋３０の外周囲を詰め物２３，３４を介して外皮２４，３５で夫々覆うことにより、特定の外観を有する縫いぐるみ形態とした。【選択図】　図２
2004053177.tif 000002
【特許請求の範囲】
【請求項１】
缶入り飲料、ボトル入り飲料や食品が収容される本体の容器の上部に開口部を設け、その本体にはペルチェ素子を外面に取り付けた熱伝導体と、そのペルチェ素子の背面に取り付けた放熱フィンに送風を行うための電動ファンと、そのペルチェ素子に供給する電流の向きを変えて冷却・加熱作用を切り替える切替スイッチとを設け、さらに、前記容器の外周囲を詰め物を介して外皮で覆うことにより、特定の外観を有する縫いぐるみの形態に構成したことを特徴とする飲料又は食品用冷蔵・温蔵器を内装した縫いぐるみ。
【請求項２】
缶入り飲料、ボトル入り飲料や食品が収容される本体の容器の胴部に扉を開閉自在に設け、その本体にはペルチェ素子を外面に取り付けた熱伝導体を設けると共に、そのペルチェ素子の背面に取り付けた放熱フィンに送風を行うための電動ファンと、そのペルチェ素子に供給する電流の向きを変えて冷却・加熱作用を切り替える切替スイッチとを設け、さらに、前記容器の外周囲を詰め物を介して外皮で覆うことにより、特定の外観を有する縫いぐるみの形態に構成したことを特徴とする飲料又は食品用冷蔵・温蔵器を内装した縫いぐるみ。
【請求項３】
前記容器の外周囲を断熱材で覆い、かつ、詰め物を介して外皮で覆うことにより、特定の外観を有する縫いぐるみの形態に構成したことを特徴とする請求項１又は２に記載の飲料又は食品用冷蔵・温蔵器を内装した縫いぐるみ。
【発明の詳細な説明】
【０００１】
【発明の属する技術分野】
本発明は、飲料又は食品用冷蔵・温蔵器を内装したペンギンなどの縫いぐるみに関する。
【０００２】
【従来の技術】
家庭や自動車内などにおいて、缶入り飲料やペットボトル入り飲料を保冷又は保温しておいて適時にそれらを飲むために用いられる飲料用保温保冷器としては、例えば、特開２００１−２０８４６５号の公開特許公報に開示されている。その「飲料用保温保冷器」は、ペルチェ素子の両面にヒートシンクを取り付け、ペルチェ素子に発生した熱を送風装置による風に乗せて飲料容器に吹き付けると共にその風を循環するようにした構造とされている。
【０００３】
【発明が解決しようとする課題】
上述した従来の「飲料用保温保冷器」は、飲料容器の出し入れが簡単にできる簡易な構造とされているところ、飲料容器の上部が本体から露出することから保冷・保温効果の点において必ずしも十分であるとは言えない。また、外観形態については、ありふれた筒型とされていて、例えば、子供や若い女性の目を惹くようにデザインの面での工夫がされていないと思われる。
【０００４】
この発明の目的は、外観デザインをペンギンなどの縫いぐるみ形態とし、保冷又は保温を施す室内を密閉・断熱構造として保冷・保温効果を向上させた「飲料又は食品用冷蔵・温蔵器を内装した縫いぐるみ」を提供することにある。
【０００５】
【課題を解決するための手段】
前記目的を達成するために請求項１に記載した発明は、缶入り飲料、ボトル入り飲料や食品が収容される本体の容器の上部に開口部を設け、その本体にはペルチェ素子を外面に取り付けた熱伝導体と、そのペルチェ素子の背面に取り付けた放熱フィンに送風を行うための電動ファンと、そのペルチェ素子に供給する電流の向きを変えて冷却・加熱作用を切り替える切替スイッチとを設け、さらに、前記容器の外周囲を詰め物を介して外皮で覆うことにより、特定の外観を有する縫いぐるみの形態に構成したことを特徴とする。
【０００６】
同様の目的を達成するために請求項２に記載した発明は、缶入り飲料、ボトル入り飲料や食品が収容される本体の容器の胴部に扉を開閉自在に設け、その本体にはペルチェ素子を外面に取り付けた熱伝導体を設けると共に、そのペルチェ素子の背面に取り付けた放熱フィンに送風を行うための電動ファンと、そのペルチェ素子に供給する電流の向きを変えて冷却・加熱作用を切り替える切替スイッチとを設け、さらに、前記容器の外周囲を詰め物を介して外皮で覆うことにより、特定の外観を有する縫いぐるみの形態に構成したことを特徴とする。
【０００７】
同様の目的を達成するために請求項３に記載した発明は、請求項１又は２に記載の飲料又は食品用冷蔵・温蔵器を内装した縫いぐるみにおいて、前記容器の外周囲を断熱材で覆い、かつ、詰め物を介して外皮で覆うことにより、特定の外観を有する縫いぐるみの形態に設けたことを特徴とするものである。
【０００８】
【発明の作用及び効果】
（請求項１の発明）
（１）冷蔵の場合
ペルチェ素子に５．５〜６アンペア、４〜１２ボルトの直流電流が供給されると、公知のペルチェ効果によりペルチェ素子の内表面が冷却されて熱伝導体を冷却する。その熱伝導体の吸熱作用によって、密閉された容器内が冷却される。しかして、その容器内に缶入り飲料、ボトル入り飲料などを入れておけば、それらは適度な温度に保冷される。
他方、ペルチェ素子の背面（外表面）に発生する熱は放熱フィンに伝わり、その放熱フィンの熱は電動ファンによる送風により外部に放出される。
（２）温蔵の場合
ペルチェ素子に５．５〜６アンペア、４〜１２ボルトの範囲に設定される直流電流が供給されると、公知のペルチェ効果によりペルチェ素子の内表面が加熱されて熱伝導体を加熱する。その熱伝導体の放熱作用によって、密閉された容器内が加温される。しかして、その容器内に缶入り飲料、ボトル入り飲料などを入れておけば、それらは適度な温度に温められる。
【０００９】
（請求項２の発明）
上述した請求項１の発明の作用に準ずるので、説明を省く。
【００１０】
（請求項３の発明）
容器の外周囲を断熱材で覆ったうえで詰め物を介して外皮で覆うことにより、本体の断熱効果がさらに高められる。
【００１１】
この「飲料又は食品用冷蔵・温蔵器を内装した縫いぐるみ」は、縫いぐるみによる保冷又は保温を施す室内を密閉構造とすることにより、保冷・保温効果を一層高めることが可能となった。加えて、外観デザインが特定の縫いぐるみ形態とされているので、子供や若い女性に格別な興味や親近感を持って迎えられるという利点をも有する。
【００１２】
【発明の実施の形態】
以下に、本発明の実施の形態例を図面に基づいて説明する。図１は開閉蓋を本体から外して示す飲料又は食品用冷蔵・温蔵器を内装した縫いぐるみの斜視図、図２は同、縦断側面図、図３は本体の平断面図、図４は一部を破断して示す飲料又は食品用冷蔵・温蔵器を内装した縫いぐるみの背面図である。
【００１３】
図１に示す本発明の「飲料又は食品用冷蔵・温蔵器を内装した縫いぐるみ」Ｃは、缶入り飲料、ペットボトル入り飲料や食品などを収容する本体１と、その本体１の開口部１ａに着脱自在とされた開閉蓋３０により構成されている。
【００１４】
上記本体１の容器２は、二つに分割して形成されたアルミニゥム製の側壁片３ａ，３ｂを合体させて八角形の筒４とし、その筒４の下部に底蓋５を取り付け、他方の上部に鍔付きの口金６を取り付けて一体に設けられている。一方の側壁片３ａの下方寄りの外面には、直流電流を供給することによって素子の両表面が加熱・冷却する現象を示す公知の「ペルチェ素子（ペルチェモジュール）」１１を外面１０ａに取り付けたアルミニゥム製ブロック形状の熱伝導体１０が固定されている。その熱伝導体１０には、ペルチェ素子１１の背面（外表面）に平坦な裏面１２ａをあてがってサンドイッチ状態に放熱フィン１２が取り付けられている。
【００１５】
上記側壁片３ａの外面に固定された枠片１５には、空気の吸込口１７と排出口１８とを設けたカバー１６が取り付けられている。そのカバー１６には、放熱フィン１２に送風を行うための電動ファン２０と、上記ペルチェ素子１１に供給する電流の向きを変えて冷却・加熱作用を切り替えるための切替スイッチ２１とを設けている。
【００１６】
なお、前記ペルチェ素子１１に供給する電流については、５．５〜６アンペア、４〜１２ボルトの範囲内に設定される直流電源を必要とするが、交流電源（ＡＣ）を直流電源（ＤＣ）に変換する一般的なアダプタ、自動車のシガーソケットなどの電源を利用することが考えられる。
【００１７】
上記本体１については、容器２の外周囲を発泡ポリスチレン、ウレタンフォーム材料などの断熱材２２で覆って断熱構造とし、さらに、綿、テトロン綿などの詰め物２３を介して外皮２４で覆うことにより、特定の外観を有する縫いぐるみの形態に構成する。ここでは、「ペンギン」の「体」の部分が構成されるように設けられている。
【００１８】
開閉蓋３０については、前記本体１の開口部１ａをなす口金６に嵌着するための挿入部３２を形成すると共に中央部３３を高く突出するように形成された蓋体３１を設け、その蓋体３１の外周囲を綿、ポリエステル綿などの詰め物３４を介して外皮３５で覆うことにより、縫いぐるみの「ペンギン」の「頭部」が構成されるように設けられている。
【００１９】
つぎに、かかる構成になる本発明の「飲料又は食品用冷蔵・温蔵器を内装した縫いぐるみ」Ｃの取り扱い方について説明を行う。
（冷蔵の場合）
切替スイッチ２１を「冷蔵」側にセットしてから、図示しない電源スイッチを入れる。これにより、ペルチェ素子１１に直流電流が供給され、ペルチェ素子１１の内面が冷却されて熱伝導体１０が冷却される。容器２及び開閉蓋３０により密閉された室内ｒは、その熱伝導体１０の吸熱作用によって冷却を施される。しかして、その室内ｒに３５０ｃｃか５００ｃｃ容量の缶入り飲料やペットボトル入り飲料などを入れておけば、それらは適度な温度に保冷される。
【００２０】
なお、この冷蔵・温蔵器を内装した縫いぐるみＣの使用中において、ペルチェ素子１１の背面に熱が発生するが、その熱は放熱フィンに伝えられて、電動ファン２０による送風によりカバー１６の排出口１８から外へ放出される。
【００２１】
（温蔵の場合）
切替スイッチ２１を「温蔵」側にセットしてから、図示しない電源スイッチを入れる。これにより、ペルチェ素子１１に直流電流が供給され、ペルチェ素子１１の内面が加熱されて熱伝導体１０が加熱される。容器２及び開閉蓋３０により密閉された室内ｒは、その熱伝導体１０の放熱作用によって加温される。しかして、その室内ｒに缶入り飲料やペットボトル入り飲料などを入れておけば、それらは適度な温度に温められる。
【００２２】
上述した飲料又は食品用冷蔵・温蔵器を内装した縫いぐるみＣは、本体１と開閉蓋３０の二体構造とされているところ、本体の胴部に扉を開閉自在に設けた一体構造（請求項２に記載の発明）とすることも可能である。
【００２３】
以上の通り、この「飲料又は食品用冷蔵・温蔵器を内装した縫いぐるみ」は、縫いぐるみによる保冷又は保温を施す室内を密閉・断熱構造とすることにより、保冷・保温効果が非常に良好となった。加えて、外観デザインを特定の縫いぐるみの形態としているので、子供や若い女性に興味や親近感を持って迎えられるという大きな利点をも有する。
【図面の簡単な説明】
【図１】開閉蓋を本体から外して示す飲料又は食品用冷蔵・温蔵器を内装した縫いぐるみの斜視図
【図２】同、縦断側面図
【図３】本体の平断面図
【図４】一部を破断して示す飲料又は食品用冷蔵・温蔵器を内装した縫いぐるみの背面図
【符号の説明】
Ｃ・・・飲料又は食品用冷蔵・温蔵器を内装した縫いぐるみ
１・・・本体
１ａ・・・開口部
２・・・容器
１０・・・熱伝導体
１１・・・ペルチェ素子
１２・・・放熱フィン
２０・・・電動ファン
２１・・・切替スイッチ
２２・・・断熱材
２３・・・詰め物
２４・・・外皮
３０・・・開閉蓋
３４・・・詰め物
３５・・・外皮
【図１】
2004053177.tif 000003
【図２】
2004053177.tif 000004
【図３】
2004053177.tif 000005
【図４】
2004053177.tif 000006